(57)【要約】【課題】  通話先の現地時間に応じて表示画面のバック表示を変えることができ、これにより、通話先の概略の現地時間をユーザが表示画面から直感的に検知することができる電話機を提供する。【解決手段】  計時ブロック５は日本の日時を計時する。画面表示データ記憶部１５には、予め時間帯別にバック画像データが記憶されている。コントローラ１２は、通話先の電話番号を時差データに変換し、計時ブロック５から出力される日本の日時データと、時差データとから通話先の現在日時データを求める。そして、求められた通話先の現在時間データに対応するバック画像データを画面表示データ記憶部１５から読み出し、通話先の日時データと共に表示パネル４に表示する。【選択図】    図１
2007036803.tif 000002
【特許請求の範囲】
【請求項１】
日本の日時を計時する計時手段と、
通話先の電話番号を時差データに変換する変換手段と、
前記計時手段から出力される日本の日時データと、前記時差データとから通話先の現在日時データを求める演算手段と、
予め時間帯別にバック画像データが記憶されたメモリと、
前記演算手段によって求められた通話先の現在時間データに対応するバック画像データを前記メモリから読み出し、前記演算手段によって求められた通話先の日時データと共に表示する表示手段と、
を具備することを特徴とする電話機。
【請求項２】
前記通話先の現在日時データから前記通話先がサマータイム期間であるか否かを判断し、サマータイム期間であった場合に前記通話先の現在時間データを１時間進めるサマータイム処理手段を設けたことを特徴とする請求項１に記載の電話機。
【請求項３】
前記演算手段によって求められた通話先の日時データを音声信号に変換して発音する音声変換手段を設けたことを特徴とする請求項１または請求項２に記載の電話機。
【発明の詳細な説明】
【技術分野】
【０００１】
本発明は、通話先の地域の現地時間を表示することができる電話機に関する。
【背景技術】
【０００２】
近年、携帯電話の海外電話サービスやＩＰ（インターネットプロトコル）電話の普及により、国際電話や長距離電話が益々増える傾向にある。ところで、国際電話においては、通話先の現地時間が何時であるかを把握しておかないと、早朝や深夜に電話してしまう等の迷惑をかけてしまう。
そこで、従来、ワールド時計機能を内蔵した電話機が開発されている。しかし、この電話機は、国際電話の番号入力と連動して通話先の現地時刻を表示するようにはなっておらず、このため、現地時刻を調べないで電話をかけてしまう場合もしばしば生じてしまう。
【０００３】
このような問題を解決するものとして、特許文献１や特許文献２に記載される電話機が開発された。これらの文献に記載される電話機は、通話先の電話番号を入力すると、その電話番号から通話先の国（場所）が検出され、その国の現地時間が表示されるようになっている。
【特許文献１】特開平11-331350号公報
【特許文献２】特開2002-171334号公報
【発明の開示】
【発明が解決しようとする課題】
【０００４】
本発明は上記事情を考慮してなされたもので、その目的は、通話先の現地時間に応じて表示画面のバック表示を変えることができ、これにより、通話先の概略の現地時間をユーザが表示画面から直感的に検知することができる電話機を提供することにある。また、この発明の他の目的は、現地時間の表示の際にサマータイムをも考慮して表示することができる電話機を提供することにある。
【課題を解決するための手段】
【０００５】
この発明は上述した課題を解決するためになされたもので、請求項１に記載の発明は、日本の日時を計時する計時手段と、通話先の電話番号を時差データに変換する変換手段と、前記計時手段から出力される日本の日時データと、前記時差データとから通話先の現在日時データを求める演算手段と、予め時間帯別にバック画像データが記憶されたメモリと、前記演算手段によって求められた通話先の現在時間データに対応するバック画像データを前記メモリから読み出し、前記前記演算手段によって求められた通話先の日時データと共に表示する表示手段とを具備することを特徴とする電話機である。
【０００６】
請求項２に記載の発明は、請求項１に記載の電話機において、前記通話先の現在日時データから前記通話先がサマータイム期間であるか否かを判断し、サマータイム期間であった場合に前記通話先の現在時間データを１時間進めるサマータイム処理手段を設けたことを特徴とする。
請求項３に記載の発明は、請求項１または請求項２に記載の電話機において、前記演算手段によって求められた通話先の日時データを音声信号に変換して発音する音声変換手段を設けたことを特徴とする。
【発明の効果】
【０００７】
この発明によれば、通話先の現地時間に応じて表示画面のバック表示を変えることができ、通話先の概略の現地時間をユーザが表示画面から直感的に検知することができる。これにより、現地時間の早朝や深夜に相手方に電話をかけ、迷惑をかけることを防ぐことができる。また、この発明のよれば、サマータイムを考慮した現地時間を表示することができる効果がある。
【発明を実施するための最良の形態】
【０００８】
以下、図面を参照し、この発明の実施の形態について説明する。図１はこの発明の一実施の形態による携帯電話機の構成を示すブロック図であり、図２は同携帯電話機の特徴を説明するための図である。図２に示すように、この携帯電話機は、通話先の電話番号をテンキーから入力すると同時に、通話先の現地時間を表示し、また、スピーカから発音することができるようになっており、さらに、表示画面のバック表示が通話先の時間に応じて変わるようになっている。例えば、通話先の時間が午後７時（１９時）であった場合は、バックカラーが夕暮れのイメージを示す赤色となろと共に星が表示され、また、通話先の時間が午前９時であった場合は、バックカラーがモーニングタイムのイメージを示す空色になると共に太陽が表示される。
【０００９】
以下、この携帯電話機について詳述する。
図１において、符号１は携帯電話ブロックであり、音声通信を行う通信モジュール２と、テンキーおよびファンクションキーを有するキーボード３と、ＬＣＤ（液晶）表示パネル４と、日本時間のカレンダーおよび日本時間時計を有する計時ブロック５とから構成されている。なお、この携帯電話ブロック１は従来の携帯電話に設けられているものと同様である。
【００１０】
次に、１１は書き換え可能な記憶装置であり、同図に示すように、２１個の記憶スロット(B1,A1)〜(B3,A7)と４個の記憶スロット(R1,C1)〜(R1,C4)が設けられている。この場合、記憶スロット（B1,A1)〜(B1,A7)は、日本日時データの年（Year)、月（Month)、日（Date)、曜日（Day)、時（Hour)、分（Minute)、週（Week)が書き込まれるスロット、記憶スロット（B2,A1)〜(B2,A7)は、発信地の同様の日時データが書き込まれるスロット、記憶スロット（B3,A1)〜(B3,A7)は、現地（通話先）の同様の日時データが書き込まれるスロットである。また、記憶スロット(R1,C1)は現地がＵＳＡサマータイムであるか（”１”）否か（”０”）が書き込まれるスロット、記憶スロット(R1,C22)〜(R1,C4)はそれぞれ、サマータイムの最終日の月、日、曜日が書き込まれるスロットである。
【００１１】
１２はコントローラであり、制御ＲＯＭ１３内のプログラムに基づいて各部を制御する。制御ＲＯＭ１３には上述したプログラムが記憶されている共に、図３に示すサマータイム開始日および終了日の対照表が記憶されている。サマータイムの開始日および時刻は、４月第１日曜日の午前２時であり、サマータイムの終了日および時刻は、１０月最終日曜日の午前２時であり、したがって、図３の対照表が得られる。１４は時差変換テーブルであり、図４に示す国番号／時差変換テーブル１４−１と、図５に示すＵＳＡ地域番号／時差変換テーブル１４−２が記憶されている。
【００１２】
１５は画像表示データ記憶部であり、ＬＣＤ表示パネル４に現地時間表示が行われる時のバック表示画面が予め記憶されている。図６は標準時間におけるバック表示画面であり、各画面が表示される時間、色および画面イメージは各々次の通りである。
（1）6:00-7:00    ムラサキ  日の出のイメージ
（2）8:00-12:00   空色      モーニングタイムのイメージ
（3）13:00-15:00  空色      アフタヌーンタイムのイメージ
（4）16:00-17:00  ダイダイ  夕方のイメージ
（5）18:00-19:00  赤        夕暮れのイメージ
（6）20:00-0:00   黒        イブニングタイムのイメージ  
（7）1:00-3:00    黒        未明のイメージ
（8）4:00-5:00    ムラサキ  夜明けのイメージ
【００１３】
また、図７はサマータイムにおけるバック表示画面であり、各画面が表示される時間、色および画面イメージは各々次の通りである。
（9）7:00-8:00    ムラサキ  日の出のイメージ
（10）9:00-12:00   空色      モーニングタイムのイメージ
（11）13:00-16:00  空色      アフタヌーンタイムのイメージ
（12）17:00-19:00  ダイダイ  夕方のイメージ
（13）20:00-21:00  赤        夕暮れのイメージ
（14）22:00-0:00   黒        イブニングタイムのイメージ  
（15）1:00-4:00    黒        未明のイメージ
（16）5:00-6:00    ムラサキ  夜明けのイメージ
【００１４】
１６は音声合成ユニットであり、コントローラ１２からバスラインを介して供給されるデータを受けて音声信号を合成しスピーカ１７へ出力する。この音声合成ユニット１６によって、例えば、図２に示す文言の音声が合成され、スピーカ１７から発音される。
【００１５】
次に、上述した携帯電話機の動作を図８〜図１８に示すフローチャートを参照して説明する。
（１）発信地データ(B2,A1)〜(B2,A7)セット（図８）
ユーザが国際電話をする場合、まず、キーボード３によって所定のキー操作を行う。このキー操作が行われると、コントローラ１２がそれを検知し、発信地（現在地）入力用の表示画面をＬＣＤ表示パネル４に表示する。ユーザがその画面において発信地を入力すると、コントローラ１２が入力された発信地の国番号Ｎまたは地域番号Ａを内部に一時記憶する（図８のステップＳ１）。次に、コントローラ１２は、日本時間の日時データを計時ブロック５から読み出し、記憶装置１１の記憶スロット(B1,A1)〜(B1,A7)に書き込む（ステップＳ２）。次に、コントローラ１２は、発信地の国番号Ｎまたは地域番号Ａから国番号／時差変換テーブル１４−１（図４）またはＵＳＡ地域番号／時差変換テーブル１４−２によって時差データを求め、次式によって発信地の現在時間ＬＴを計算する（ステップＳ３）。
ＬＴ＝日本時間(B1、A5)＋時差データ
【００１６】
次に、コントローラ１２は、発信地の日付変更判定を行う。すなわち、上式の計算結果がＬＴ＜０であった場合は日付変更処理が必要であり、ＬＴ≧０であった場合は日付変更処理が必要無いと判断する（ステップＳ４）。そして、日付変更処理が必要ない場合は、上式の計算結果である発信地の現在時間ＬＴを記憶装置１１の記憶スロット(B2,A5)に書き込み（ステップＳ５）、次いで日本の曜日データ(B1,A4)を発信地の曜日データとして記憶スロット(B2,A4)に書き込み（ステップＳ６）、次いで日本の日データ(B1,A3)、月データ(B1,A2)、年データ(B1,A1)をそれぞれ、発信地の日データ、月データ、年データとして記憶スロット(B2,A3)、(B2,A2)、(B2,A1)に書き込む（ステップＳ７）。
【００１７】
一方、日付変更処理が必要であった場合は、まず、
ＬＴ＋２４
なる計算を行い、計算結果を発信地時間として記憶スロット(B2,A5)に書き込む（ステップＳ８）。次に、日本の曜日データ(B1、A4)を１つ戻し、発信地の曜日データとして記憶スロット（B2,A4)に書き込む（ステップＳ９）。次に、週データの変更判定を行う（ステップＳ１０）。すなわち、上記ステップＳ９の処理によって記憶スロット(B2,A4)に書き込まれたデータが土曜日（Sat)であった場合は、週データの変更が必要と判断し、土曜日以外であった場合は変更の必要なしと判断する。そして、変更が必要であった場合は、日本の週データ(B1,A7)を１つ戻し、発信地の週データとして記憶スロット(B2,A7)に書き込む（ステップＳ１１）。次に、日本の日データ(B1,A3)から１を減算したデータ、日本の月データ(B1、A2)、日本の年データ(B1,A1)をそれぞれ、発信地の日データ、月データ、年データとして記憶スロット(B2,A3)、(B2、A2)、(B2,A1)に書き込む（ステップＳ１２）。一方、週データの変更が必要でない場合は、上述したステップＳ１１をスキップしてステップＳ１２の処理を行う。
【００１８】
（２）国番号による時差データ取得および現地時間算出（図９、図１０）
ユーザは、前述した発信地入力を行った後、キーボード３によって通話先の電話番号を入力する。電話番号が入力されると、コントローラ１２が、入力された電話番号から国番号Ｎまたは地域番号Ａ（ＵＳＡの場合）を取得する（図９のステップＳ２１）。次に、国番号が「１」（ＵＳＡ）であるか否かを判断する（ステップＳ２２）。そして、国番号が「１」であった場合は、図１３に示す地域判別処理へ進む。また、国番号が「１」でなかった場合は、国番号が「８１」（日本）であるか否かを判断する（ステップＳ２３）。そして、国番号が「８１」であった場合は、国番号／時差変換テーブル１４−１（図４）から国番号「８１」に対応する時差データ「０」を読み出す（ステップＳ２４）。また、国番号が「８１」でなかった場合は、次のステップＳ２５へ進む。
【００１９】
以下、同様にして、国番号が、
８６  ６６  ８８０  ９２  ９７１  ７  ２０  ３３  ４４  ５５  ５８
であるか否かを順次チェックし（ステップＳ２５〜Ｓ３５）、該当していた場合は国番号／時差変換テーブル１４−１からその国番号に対応する時差データを読み出す（ステップＳ３６〜Ｓ４６）。次に、ステップＳ３５の判断結果が「ＮＯ」であった場合は国番号が「６１」（オーストラリア）であると判断し、対応する時差データを国番号／時差変換テーブル１４−１から取得する（ステップＳ４７）。
【００２０】
次に、コントローラ１２は、上述した過程で取得した時差データに基づいて通話先の現地時間の算出を行う。すなわち、まず、日本時間データ(B1,A5)を記憶装置１１から読み出す（図１０のステップＳ５０）。次に、読み出した日本時間データに上記の過程で取得した時差データを加算し、データＬＴを求める（ステップＳ５１）。次に、通話先の日付変更判定を行う。すなわち、上記の加算結果ＬＴがＬＴ＜０であった場合は日付変更処理が必要であり、ＬＴ≧０であった場合は日付変更処理が必要無いと判断する（ステップＳ５２）。そして、日付変更処理が必要ない場合は、上式の加算結果ＬＴを記憶スロット(B3,A5)に書き込み、また、記憶スロット(B1.A1)〜(B1,A4)、(B1.A6)、(B1,A7)のデータを記憶スロット(B3.A1)〜(B3,A4)、(B3.A6)、(B3,A7)に書き込み、図１１に示す画面表示処理へ進む。
【００２１】
一方、日付変更処理が必要であった場合は、まず、
ＬＴ＋２４
なる計算を行い、計算結果を通話先時間として記憶スロット(B3,A5)に書き込む（ステップＳ５３）。次に、日本の曜日データ(B1、A4)を１つ戻し、通話先の曜日データとして記憶スロット（B3,A4)に書き込む（ステップＳ５４）。次に、週データの変更判定を行う（ステップＳ５５）。すなわち、上記ステップＳ５４の処理によって記憶スロット(B3,A4)に書き込まれたデータが土曜日（Sat)であった場合は、週データの変更が必要と判断し、土曜日以外であった場合は変更の必要なしと判断する。そして、変更が必要であった場合は、日本の週データ(B1,A7)を１つ戻し、通話先の週データとして記憶スロット(B3,A7)に書き込む（ステップＳ５６）。次に、日本の日データ(B1,A3)から１を減算したデータ、日本の月データ(B1、A2)、日本の年データ(B1,A1)をそれぞれ、通話先の日データ、月データ、年データとして記憶スロット(B3,A3)、(B3、A2)、(B3,A1)に書き込む。一方、週データの変更が必要でない場合は、日本の日データ(B1,A3)から１を減算したデータを記憶スロット(B3,A3)に書き込み（ステップＳ５７）、また、記憶スロット(B1,A1)〜(B1,A7)（除く(B1,A3)）のデータを記憶スロット(B3,A1)〜(B3,A7)に書き込み、図１１に示す画面表示処理へ進む。
【００２２】
（３）現地時間表示（サマータイムの場合を除く）（図１１、図１２）
コントローラ１２は、上記の過程によって通話先の日時データを記憶スロット(B3,A1)〜(B3,A7)に書き込んだ後、書き込んだ日時データ（現地の日時）を次の過程によってＬＣＤ表示パネル４に表示する。すなわち、まず、記憶スロット(B3,A5)内の現地時間が次のいずれの範囲内であるか否かを判断する（ステップＳ６１〜Ｓ６７）。
（1）6:00-7:00    
（2）8:00-12:00   
（3）13:00-15:00  
（4）16:00-17:00  
（5）18:00-19:00  
（6）20:00-0:00   
（7）1:00-3:00    
【００２３】
そして、(1)の範囲内であった場合は、画面表示データ記憶部１５内のバック表示画面(1)（図６）を選択し、(2)の範囲内であった場合は、画面表示データ記憶部１５内のバック表示画面(2)を選択し、・・・、(7)の範囲内であった場合は、画面表示データ記憶部１５内のバック表示画面(7)を選択する（ステップＳ６８〜Ｓ７４）。いずれの範囲にも入っていない場合は(8）4:00-5:00の範囲であると判断し（ステップＳ６７が「ＮＯ」）、表示画面(8)を選択する（ステップＳ７５）。
【００２４】
次に、コントローラ１２は、発信地の日時データを記憶装置１１の記憶スロット(B2,A1)〜（B2,A7)から読み出し（図１２のステップＳ７７）、次いで、通話先地の日時データを記憶装置１１の記憶スロット(B3,A1)〜（B3,A7)から読み出し（ステップＳ７８）、読み出した各データを上記の過程で選択したバック表示画面に重ねて表示パネル４に表示する。また、音声合成ユニット１６によって通話先の日時データを音声に変換し、スピーカから発音する（ステップＳ７９）（図２参照）。
【００２５】
（４）米国の地域番号による時差データ取得および現地時間算出（図１３、図１４）
図９のステップＳ２２の判断において国番号Ｎが「１」（米国）であった場合は、次に、コントローラ１２が、通話先の電話番号から地域番号Ａを取得する。次に、取得した地域番号が、
２１２  ３４７  ６４６  ７１８  ９１７
のいずれかであるか否かを判断する（図３のステップＳ８１）。そして、判断結果が「ＹＥＳ」であった場合は、地域番号／時差変換テーブル１４−２（図５）からこれらの地域番号に対応する時差データ「−１４」を読み出す（ステップＳ８２）。また、判断結果が「ＮＯ」の場合は、次のステップＳ８３へ進む。
【００２６】
以下、同様にして、地域番号Ａが、
「３１２  ７７３」  「３０３  ７２０」  「２１３  ５６２  ３２３  ３１０  ８      １８  ６２６」  「９０７」  
の何れかの組に属するか否かを順次チェックし（ステップＳ８３〜Ｓ８６）、該当していた場合は地域番号／時差変換テーブル１４−２からその地域番号Ａに対応する時差データを読み出す（ステップＳ８７〜Ｓ９０）。そして、ステップＳ８６の判断結果が「ＮＯ」であった場合は地域番号Ａが「８０８」（ホノルル）であると判断し、対応する時差データを地域番号／時差変換テーブル１４−２から取得する（ステップＳ９１）。
【００２７】
次に、コントローラ１２は、上述した過程で取得した時差データに基づいて通話先の現地時間の算出を行う。
すなわち、まず、日本時間データ(B1,A5)を記憶装置１１から読み出す（図１４のステップＳ１０１）。次に、読み出した日本時間データに上記の過程で取得した時差データを加算し、データＬＴを求める（ステップＳ１０２）。次に、通話先の日付変更判定を行う。すなわち、上記の加算結果ＬＴがＬＴ＜０であった場合は日付変更処理が必要であり、ＬＴ≧０であった場合は日付変更処理が必要無いと判断する（ステップＳ１０３）。そして、日付変更処理が必要ない場合は、上式の加算結果ＬＴを記憶スロット(B3,A5)に書き込み、また、記憶スロット(B1.A1)〜(B1,A4)、(B1.A6)、(B1,A7)のデータを記憶スロット(B3.A1)〜(B3,A4)、(B3.A6)、(B3,A7)に書き込み（ステップＳ１０４）、次のサマータイム処理へ進む。
【００２８】
一方、日付変更処理が必要であった場合は、まず、
ＬＴ＋２４
なる計算を行い、計算結果を通話先時間として記憶スロット(B3,A5)に書き込む（ステップＳ１０５）。次に、日本の曜日データ(B1、A4)を１つ戻し、通話先の曜日データとして記憶スロット（B3,A4)に書き込む（ステップＳ１０６）。次に、週データの変更判定を行う（ステップＳ１０７）。すなわち、上記ステップＳ１０６の処理によって記憶スロット(B3,A4)に書き込まれたデータが土曜日（Sat)であった場合は、週データの変更が必要と判断し、土曜日以外であった場合は変更の必要なしと判断する。そして、変更が必要であった場合は、日本の週データ(B1,A7)を１つ戻し、通話先の週データとして記憶スロット(B3,A7)に書き込む（ステップＳ１０８）。次に、日本の日データ(B1,A3)から１を減算したデータ、日本の月データ(B1、A2)、日本の年データ(B1,A1)をそれぞれ、通話先の日データ、月データ、年データとして記憶スロット(B3,A3)、(B3、A2)、(B3,A1)に書き込む。一方、週データの変更が必要でない場合は、日本の日データ(B1,A3)から１を減算したデータを記憶スロット(B3,A3)に書き込み（ステップＳ１０９）、また、記憶スロット(B1,A1)〜(B1,A7)（除く(B1,A3)）のデータを記憶スロット(B3,A1)〜(B3,A7)に書き込み、次のサマータイム処理へ進む。
【００２９】
（５）サマータイム処理（図１５〜図１７）
サマータイム処理へ進むと、コントローラ１２は、まず、記憶装置１１の記憶スロット(R1,C1)内のデータが”０”であるか否かを判断する（図１５のステップＳ１１１）。そして、判断結果が「ＹＥＳ」の場合は、ステップＳ１１２へ進む。ステップＳ１１２では、通話先の月データ(B3,A2)が４月であるか否かを判断する。そして、判断結果が「ＮＯ」の場合はサマータイム期間ではないと判断し、前述したステップＳ６１（図１１）以降の処理へ進み、通常時の表示が行われる。
【００３０】
一方、ステップＳ１１２の判断結果が「ＹＥＳ｝の場合は、以後、サマータイム開始判定が行われる。すなわち、コントローラ１２は、まず、通話先の日時が「１日、日曜日、午前２時過ぎ」か否かを判断する（ステップＳ１１３）。具体的には、
記憶スロット(B3,A3)＝１
記憶スロット(B3,A4)＝ＳＵＮ
記憶スロット(B3,A5)≧２
がいずれも成立しているか否かを判断する。そして、判断結果が「ＹＥＳ」の場合は、ステップＳ１１４へ進み、「４月１日、日曜日」に対応するサマータイム終了日を制御ＲＯＭ１３内のサマータイム開始日／終了日対照表（図３）から読み出し、読み出した月データを記憶スロット(R1,C2)に、日データを記憶スロット(R1,C3)に書き込む（ステップＳ１１４）。
【００３１】
また、ステップＳ１１３の判断結果が「ＮＯ」の場合はステップＳ１１５へ進む。以下、コントローラ１２は、通話先の日時が、
「２日、日曜日、午前２時過ぎ」（ステップＳ１１５）
「３日、日曜日、午前２時過ぎ」（ステップＳ１１６）
・・・・・・・・・・・
「７日、日曜日、午前２時過ぎ」（ステップＳ１２０）
のいずれかに該当するか否かを判断し、該当する場合はその日に対応するサマータイム終了日をサマータイム開始日／終了日対照表（図３）から読み出し、読み出した月データを記憶スロット(R1,C2)に、日データを記憶スロット(R1,C3)に書き込む（ステップＳ１２１〜Ｓ１２６）。
【００３２】
コントローラ１２は、上述した処理によってサマータイムの終了日を記憶スロット(R1,C2)、(R1,C3)に書き込むと、次に、記憶スロット(R1,C1)に”１”を書き込み（図１６のステップＳ１２８）、次いで、記憶スロット(B2,A5)に「１」を加算して通話先の現地時間を１時間進める（ステップＳ１２９）。そして、サマータイム期間の画面表示処理（図１８）へ進む。
【００３３】
また、前述したステップＳ１１１（図１５）の判断の結果が「ＮＯ」の場合は、サマータイム終了判定処理（図１７）へ進む。このサマータイム終了判定処理では、コントローラ１２が、まず、通話先の月が１０月であるか否か、すなわち、記憶スロット(B3,A2)内のデータが「１０」であるか否かをチェックする（ステップＳ１３１）。そして、判断結果が「ＮＯ」の場合はサマータイム期間内と判断し、サマータイム期間の画面表示処理（図１８）へ進む。
【００３４】
一方、ステップＳ１３１の判断結果が「ＹＥＳ」の場合は、現地の日時が記憶スロット(R1,C2)(R1,C3)に記憶されているサマータイム終了日と同じあるいは過ぎているか、および、午前２時を過ぎているかをチェックし、いずれも「ＹＥＳ」であった場合は、ステップＳ１３３へ進み、記憶スロット(R1、C1)にサマータイム終了を示すデータ”０”を書き込む。また、ステップＳ１３２の判断結果が「ＮＯ」であった場合は、サマータイム期間の画面表示処理（図１８）へ進む。
【００３５】
（６）現地時間表示（サマータイム期間）（図１８）
コントローラ１２は、上記の過程によって現地時間のサマータイム修正を行った後、記憶スロット(B3,A1)〜(B3,A7)の日時データ（現地の日時）を次の過程によってＬＣＤ表示パネル４に表示する。すなわち、まず、記憶スロット(B3,A5)内の現地時間が次のいずれの範囲内であるか否かを判断する（ステップＳ１４１〜Ｓ１４７）。
（9） 7:00-8:00    
（10）9:00-12:00   
（11）13:00-16:00  
（12）17:00-19:00  
（13）20:00-21:00  
（14）22:00-0:00   
（15）1:00-4:00    
【００３６】
そして、(9)の範囲内であった場合は、画面表示データ記憶部１５内のバック表示画面(9)（図７）を選択し、(10)の範囲内であった場合は、画面表示データ記憶部１５内のバック表示画面(10)を選択し、・・・、(15)の範囲内であった場合は、画面表示データ記憶部１５内のバック表示画面(15)を選択する（ステップＳ１４８〜Ｓ１５４）。いずれの範囲にも入っていない場合は、(16)5:00-6:00の範囲であると判断し（ステップＳ１４７が「ＮＯ」）、表示画面(16)を選択する（ステップＳ１５５）。
【００３７】
次に、コントローラ１２は、前述したステップＳ７７〜Ｓ７９（図１２）の処理を行う。これにより、表示パネル４においてサマータイムに基づく現地時間表示が行われると共に、スピーカから表示内容が発音される。
【産業上の利用可能性】
【００３８】
この発明は、国際電話が可能な卓上電話機や携帯電話機に用いられる。
【図面の簡単な説明】
【００３９】
【図１】この発明の一実施形態による携帯電話機の構成を示すブロック図である。
【図２】同実施形態の特徴を説明するための図である。
【図３】図１における制御ＲＯＭ１３内に記憶されたサマータイム開始日／終了日対照表を示す図である。
【図４】図１における時差変換テーブル１４内に記憶された国番号／時差変換テーブルを示す図である。
【図５】図１における時差変換テーブル１４内に記憶された地域番号／時差変換テーブルを示す図である。
【図６】図１における画像表示データ記憶部１５内に記憶された画像データを示す図である。
【図７】図１における画像表示データ記憶部１５内に記憶された画像データを示す図である。
【図８】図１に示す実施形態の動作を説明するためのフローチャートであり、発信地設定処理のフローチャートである。
【図９】図１に示す実施形態の動作を説明するためのフローチャートであり、時差データ検出処理のフローチャートである。
【図１０】図１に示す実施形態の動作を説明するためのフローチャートであり、時差データ検出処理および現地日時検出処理のフローチャートである。
【図１１】図１に示す実施形態の動作を説明するためのフローチャートであり、表示画面選択処理のフローチャートである。
【図１２】図１に示す実施形態の動作を説明するためのフローチャートであり、画面表示処理のフローチャートである。
【図１３】図１に示す実施形態の動作を説明するためのフローチャートであり、地域番号判別／時差データ検出処理のフローチャートである。
【図１４】図１に示す実施形態の動作を説明するためのフローチャートであり、米国の現地日時検出処理のフローチャートである。
【図１５】図１に示す実施形態の動作を説明するためのフローチャートであり、サマータイム判定処理のフローチャートである。
【図１６】図１に示す実施形態の動作を説明するためのフローチャートであり、サマータイム設定処理のフローチャートである。
【図１７】図１に示す実施形態の動作を説明するためのフローチャートであり、サマータイム終了判定処理のフローチャートである。
【図１８】図１に示す実施形態の動作を説明するためのフローチャートであり、サマータイム画面表示処理のフローチャートである。
【符号の説明】
【００４０】
１…携帯電話ブロック、２…通信モジュール、３…キーボード、４…ＬＣＤ表示パネル、５…計時ブロック、１１…記憶装置、１２…コントローラ、１３…制御ＲＯＭ、１４…時差変換テーブル、１４−１…国番号／時差変換テーブル、１４−２…ＵＳＡ地域番号／時差変換テーブル、１５…画面表示データ記憶部。
【図１】
2007036803.tif 000003
【図２】
2007036803.tif 000004
【図３】
2007036803.tif 000005
【図４】
2007036803.tif 000006
【図５】
2007036803.tif 000007
【図６】
2007036803.tif 000008
【図７】
2007036803.tif 000009
【図８】
2007036803.tif 000010
【図９】
2007036803.tif 000011
【図１０】
2007036803.tif 000012
【図１１】
2007036803.tif 000013
【図１２】
2007036803.tif 000014
【図１３】
2007036803.tif 000015
【図１４】
2007036803.tif 000016
【図１５】
2007036803.tif 000017
【図１６】
2007036803.tif 000018
【図１７】
2007036803.tif 000019
【図１８】
2007036803.tif 000020